(57)【要約】【課題】    横漏れ防止性能に優れた使い捨ておむつを提供すること。【解決手段】  吸収性本体と、吸収性本体の非肌当接面側に位置する外装体１０とを具備し、外装体１０に、おむつ止着用のファスニングテープが設けられている使い捨ておむつであり、吸収性本体は、股下部における両側部５１，５１が起立するようになされており、吸収性本体５の両側に、防漏カフ形成用シート６０及び該シートに固定された弾性部材６１ａ〜６１ｃにより、防漏カフ６が形成されており、防漏カフ形成用シート６０と外装体１０との間に脚周り部弾性部材７が固定されている。【選択図】    図３
2006081651.tif 000002
【特許請求の範囲】
【請求項１】
吸収性本体と、該吸収性本体の非肌当接面側に位置する外装体とを具備し、該外装体に、おむつ止着用のファスニングテープが設けられている使い捨ておむつであって、
前記吸収性本体は、股下部における両側部が起立するようになされており、
前記吸収性本体の両側に、防漏カフ形成用シート及び該防漏カフ形成用シートに固定された弾性部材により、防漏カフが形成されており、
前記防漏カフ形成用シートと前記外装体との間に脚周り部弾性部材が固定されている、使い捨ておむつ。
【請求項２】
前記吸収性本体の両側部それぞれに、側部弾性部材が伸長状態で固定されている請求項１記載の使い捨ておむつ。
【請求項３】
股下部における吸収性コアに、屈曲補助部が形成されている請求項１又は２記載の使い捨ておむつ。
【請求項４】
股下部における吸収性コアが、中央コアとその両側に配された側部コアとに分割されており、該中央コアと該各側部コアとの間が屈曲補助部として機能する請求項３記載の使い捨ておむつ。
【請求項５】
股下部における吸収性本体は、該吸収性本体の両側縁部よりもおむつ幅方向の内方に、前記防漏カフ形成用シート又は前記外装体に接合された固定部を有しており、該固定部は、前記屈曲補助部を有する部位の近傍に形成されている請求項３又は４記載の使い捨ておむつ。
【請求項６】
股下部における吸収性本体は、該吸収性本体の両側縁部よりもおむつ幅方向の内方に、前記防漏カフ形成用シート又は前記外装体に接合された固定部を有しており、前記脚周り部弾性部材は、前記固定部よりもおむつ幅方向の外方に固定されている請求項１〜５の何れか記載の使い捨ておむつ。
【請求項７】
前記脚周り部弾性部材は、前記側部弾性部材の配置位置よりもおむつ幅方向の外方に固定されている請求項６記載の使い捨ておむつ。
【発明の詳細な説明】
【技術分野】
【０００１】
本発明は、横漏れ防止性能に優れた使い捨ておむつに関する。
【背景技術】
【０００２】
従来、着用者の背側に配される部分の両側縁部に、おむつ止着用のファスニングテープが設けられた展開型の使い捨ておむつが広く知られている。
展開型のおむつとして、特許文献１には、中央部に平坦に位置する第１の吸収体とその両側に配置された第２の吸収体とを有し、弾性部材により、第２の吸収体に起立性向を付与した使い捨ておむつが記載されている。また、特許文献２には、おむつの側縁部から離れた部位に、シート材及び弾性部材からなる内方カフを設けた使い捨ておむつが記載され、特許文献３には、サイドフラップ及び／又はウエストフラップに沿うように第２のフラップを配設し、第２のフラップに第２の吸収体を配設した使い捨ておむつが記載されている。
【０００３】
【特許文献１】特開平３−１２３５５３号公報
【特許文献２】特表平９−５０４９７７号公報。
【特許文献３】特開平３−２６８７５３公報。
【発明の開示】
【発明が解決しようとする課題】
【０００４】
上述した各文献記載の使い捨ておむつにおいては、第２吸収体や内方カフ、第２のフラップ等が起立することで、排泄物の流れが一時的には堰き止められる。しかし、多量の尿が短時間に纏まって勢い良く排泄されたり、吸収されにくい水状便や軟便等が排泄された場合には、排泄物が、起立部分を乗り越えて移動し、移動した排泄物が、起立部分とおむつ側縁部との間に捕捉されずに、おむつ側縁部から漏れ出す恐れがあった。
【０００５】
従って、本発明の目的は、横漏れ防止性能に優れた使い捨ておむつを提供することにある。
【課題を解決するための手段】
【０００６】
本発明は、吸収性本体と、該吸収性本体の非肌当接面側に位置する外装体とを具備し、該外装体に、おむつ止着用のファスニングテープが設けられている使い捨ておむつであって、前記吸収性本体は、股下部における両側部が起立するようになされており、前記吸収性本体の両側に、防漏カフ形成用シート及び該防漏カフ形成用シートに固定された弾性部材により、防漏カフが形成されており、前記防漏カフ形成用シートと前記外装体との間に脚周り部弾性部材が固定されている、使い捨ておむつを提供することにより前記目的を達成したものである。
【発明の効果】
【０００７】
本発明の使い捨ておむつは、横漏れ防止性能に優れており、多量の尿が短時間に纏まって勢い良く排泄されたり、水状便や軟便等が排泄された場合等においても、漏れが生じにくいものである。
【発明を実施するための最良の形態】
【０００８】
以下本発明を、その好ましい実施形態に基づき図面を参照しながら説明する。
本発明の一実施形態としての使い捨ておむつ１（以下、おむつ１という）は、いわゆる展開型のおむつであり、図１に示すように、吸収性本体５と、該吸収性本体５の非肌当接面側に位置する外装体１０とを具備し、該外装体１０の両側縁部に、おむつ止着用のファスニングテープ１１，１１が設けられている。
【０００９】
おむつ１は、着用時に着用者の腹側に配される腹側部Ａと、着用者の背側に配される背側部Ｂと、その間に位置する股下部Ｃとに区分される。ファスニングテープ１１，１１は、外装体１０の背側部Ｂを形成する部分の両側縁部に固定されており、各テープ１１に設けられた止着部１１ａを、外装体１０の腹側部Ａを形成する部分の外面に設けられたランディングゾーン（図示せず）に止着可能になされている。おむつ１における止着部１１ａは、基端部が外装体に固定されたテープ基材に、機械的面ファスナーのオス部材を固定してなるもので、外装体１０を構成する不織布に直接係合可能になされている。
腹側部Ａ、背側部Ｂ及び股下部Ｃは、例えば、展開且つ伸張状態（各部の弾性部材を伸張させ平面状に拡げた状態，図１に示す状態）のおむつを、おむつ長手方向（おむつ１における吸収性本体の長手方向）の全長を略３等分するように３領域に区分したときの各領域である。
【００１０】
図１に示すように、吸収性本体５は縦長矩形状をなし、その長手方向を、おむつ長手方向（図１の上下方向）に一致させて、腹側部Ａから背側部Ｂに亘るように配されている。吸収性本体５は、長手方向の両端部分においては、その幅方向の全体が外装体に固定されており、長手方向の中央領域においては、両側縁それぞれから所定幅の部分を除く部分が、外装体に固定されている。尚、ここでいう固定は、吸収性本体５と外装体１０とが、両者間に防漏カフ形成用シート６０を介在させた状態で一体的に固定されている場合も含む。
【００１１】
吸収性本体５は、図１〜４に示すように、液透過性の表面シート２、液不透過性又は撥水性の防漏シート３、及びこれら両シート２，３間に介在された液保持性の吸収性コア４からなる。表面シート２は、矩形状をなし、吸収性コア４の肌当接面の全域を被覆していると共に、防漏シート３の非肌当接面側に巻き下げられた部分２１を有している。表面シート２の前記部分２１は、図示しない接着剤により防漏シート３の非肌当接面に接合されている。防漏シート３は、表面シートよりも幅の狭い矩形状をなしており、吸収性コア４の非肌当接面の略全域を被覆している。
表面シート２，吸収性コア４及び防漏シート３は、表面シート２の前記部分２１を含めて一体化され吸収性本体５を形成している。
【００１２】
おむつ１における外装体１０は、一枚の不織布製シートからなる。外装体１０は、長手方向中央部分の両側縁が脚周りに沿うように凹状に形成されており、全体として長手方向中央部分が括れた形状（砂時計状の形状）を有している。
【００１３】
図３に示すように、吸収性本体５は、股下部Ｃにおける両側部５１，５１が起立するようになされている。即ち、おむつ１を、図１に示すような展開且つ伸長状態から使用状態に変化させたときに、吸収性本体５の両側部５１，５１が、吸収性本体５の中央部分との間に角度を形成して立ち上がる。
【００１４】
おむつ１においては、吸収性本体５の両側部５１を起立させるための構成として、第１に、吸収性本体５の両側部５１それぞれに、立ち上げ用の側部弾性部材５３を図１に示すような展開且つ伸長状態で固定してある（以下、第１の構成ともいう）。具体的には、吸収性本体５の各側縁部５２の近傍に、該各側縁部と略平行に糸状又は帯状の側部弾性部材５３を伸長状態で固定してある。側部弾性部材５３は、腹側部Ａと背側部Ｂとの間に亘るように配されている。側部弾性部材５３は、少なくとも股下部Ｃに配されていることが好ましい。側部弾性部材５３は、吸収性コア４とその肌当接面側に位置する表面シート２との間、吸収性コア４と防漏シート３との間、防漏シート３とその非肌当接面側に位置する表面シート２の前記部分２１との間等に配することもできる。
【００１５】
おむつ１においては、吸収性本体５の両側部５１を起立させるための構成として、股下部Ｃにおける吸収性コア４に、屈曲性を向上させる屈曲補助部４４，４４を形成してある（以下、第２の構成ともいう）。屈曲補助部４４は、吸収性コア４、又は吸収性コア４を含む吸収性本体５を、屈曲補助部４４付近でおむつ幅方向に屈曲させ易くするものである。
【００１６】
おむつ１においては、屈曲補助部４４として、吸収性コア４に欠落部（吸収性コアの構成材料が実質的に存在しない部分）を形成してある。
具体的には、股下部Ｃにおける吸収性コア４を、図１及び図３に示すように、中央コア４２とその両側に配された側部コア４３，４３とから構成し、中央コア４２と側部コア４３との間に、屈曲補助部４４として機能する隙間を形成してある。屈曲補助部４４は、図３に示すように、おむつ幅方向の断面を見たときに、吸収性コア４の側縁部４１ないし吸収性本体５の側縁部５２から離間した位置に形成されている。
【００１７】
おむつ１における屈曲補助部４４は、その長手方向の両端部が、吸収性コア４の側縁部４１ないし吸収性本体５の側縁部５２近傍まで達しており、吸収性本体５の側部５１の起立性が一層向上しており、また、股下部Ｃに、前後左右に立ち上がり部を有する凹状のポケットが形成され易くなっている。
屈曲補助部４４としての欠落部（隙間）は、その幅が５〜６０ｍｍ、特に１５〜３５ｍｍであることが好ましい。中央コア４２とその両側に配された側部コア４３とはスリット等で分割されていても良い。おむつ１における屈曲補助部４４は、吸収性本体５の両側縁部５２から５〜５０ｍｍ、特に１０〜３０ｍｍ、おむつ幅方向内方に入り込んだ部位に存在することが好ましい（おむつ展開且つ伸張状態にて測定）。
【００１８】
中央コア４２は、図１に示すように、長手方向の中央部に括れた部分を有しており、その括れた部分の両側に、側部コア４３，４３が配されている。使用状態におむつ１を変化させると、弾性部材４３の収縮することによりおむつ１の長手方向の前後方向で中央コア４２が起立状態となり、中央コア４２の形状変化と弾性部材４３の収縮することにより側部コア４３，４３が起立する。これにより、股下部Ｃに充分な吸収容量を確保しつつ、使用時における股下部Ｃの実質幅を低減させることができ、股下部のフィット性や装着時の操作性等の向上を図ることができる。尚、中央コア４２は、上部吸収層４２ａと下部吸収層４２ｂとが積層された２層構造を有している。
【００１９】
おむつ１における吸収性コア４は、中央コア４２及び側部コア４３を含めたその全体が、ティッシュペーパや透水性の不織布からなる透水性の被覆シート（図示略）で被覆されている。中央コア４２を構成する下部吸収層４２ａと上部吸収層４２ｂとは、吸収性コア４の上下両面を被覆する被覆シートに固定されて一体化されており、また、中央コア４２及びその両側の側部コア４３も、該被覆シートを介して一体化されている。これにより、側部弾性部材５３の収縮によって、吸収性コアの側部における長手方向の全体に起立性向が付与される。
【００２０】
また、屈曲補助部４４としての欠落部においては、吸収性コア４の上下両面を被覆する被覆シート同士が直接接合されており、そのため、吸収性コアの幅方向中央に位置する中央コア４２と、その左右両側に位置する側部コア４３との間の距離が安定に維持される。これにより、吸収性本体５が、屈曲補助部４４としての欠落部をヒンジ部としてより屈曲し易くなっており、吸収性本体５と防漏カフ６との間に凹状のポケットＰが形成され易くなっている。
【００２１】
吸収性本体５の長手方向の両側には、それぞれ、おむつ長手方向へ延びるように防漏カフ６が設けられている。
防漏カフ６は、図２〜図４に示すように、防漏カフ形成用シート６０、及び該防漏カフ形成用シート６０に伸張状態で固定された弾性部材６１ａ〜６１ｃによって形成されている。
【００２２】
防漏カフ形成用シート６０は、腹側部Ａ及び背側部Ｂそれぞれにおいて、より具体的には、吸収性本体５の長手方向の両端部それぞれにおいて、該吸収性本体５を、肌当接面側５ａから非肌当接面側５ｂに亘って覆っており、吸収性本体５の長手方向の両端部それぞれにおいて、吸収性本体５の肌当接面側５ａにヒートシール、高周波シール、超音波シール、ホットメルト型の接着剤等の公知の接合手段の公知の接合手段により接合されている。このような構成により、防漏カフ６が吸収性本体の両側部５１を包み易くなり、防漏性が向上する。
本明細書において、肌当接面とは、各部材の両面のうち、着用時に着用者の肌側（図２〜４中の上側）に向けられる面であり、非肌当接面とは、各部材の両面のうち、着用時に着用者の肌側（図２〜４中の下側）とは反対側に向けられる面である。
【００２３】
防漏カフ６は、図３に示すように、少なくとも股下部Ｃにおいて起立可能である。防漏カフ６の自由端６２には、弾性部材６１ａが自由端に沿って配されており、その近傍には、弾性部材６１ｂ及び６１ｃが、それぞれ自由端と平行に配されている。
【００２４】
防漏カフに配された複数本の弾性部材６１ａ〜６１ｃは、吸収性本体５の長手方向の両端部それぞれにおいて、該吸収性本体５の幅方向に並べた状態で固定されている。これにより、起立した防漏カフの自由端側の所定幅の部分が着用者の肌に面接触する。面接触させることにより、体への密着性を向上させて防漏性を向上させることができると共に肌にやさしく接触させることができる。
【００２５】
尚、本おむつ１においては、防漏カフ形成用シート６０として、所定幅の帯状の撥水性シート一枚を、その長手方向に沿う折り曲げ線で二つ折りして、相対向する層間をホットメルト型接着剤又は部分的な熱又は超音波シール等で接合した２層構造のシートを用いている。弾性部材６１ａ〜６１ｃは、この２層構造シートの層間に伸張状態で固定されている。
【００２６】
股下部Ｃにおける吸収性本体５は、図３に示すように、吸収性本体５の両側縁部５２よりもおむつ幅方向の内方に、防漏カフ形成用シート６０に接合された固定部６７を有している。固定部６７は、ヒートシール、高周波シール、超音波シール、ホットメルト型の接着剤等の公知の接合手段により、防漏カフ形成用シート６０と、表面シート２の巻き下げられた部分２１とを接合して形成されている。おむつ１における固定部６７は、吸収性本体５の両側縁部５２から５〜５０ｍｍ、特に１０〜３０ｍｍ、おむつ幅方向内方に入り込んだ部位に存在することが好ましい（おむつ展開且つ伸張状態にて測定）。
固定部の位置は、固定部６７がおむつ幅方向にある程度の幅を有する場合、固定部６７のおむつ幅方向外側の端の位置を固定部の位置とする。また、吸収性本体５が、おむつ幅方向に複数の固定部を有する場合、最も外側に位置する固定部の外側の端の位置を固定部の位置とする。
【００２７】
防漏カフ形成用シート６０は、各固定部６７よりもおむつ幅方向の外方に、外装体１０と積層され接着されている領域をそれぞれ有している。具体的には、展開且つ伸長状態のおむつ１において、固定部６７の位置から、吸収性本体５の両側縁部５２と重なる位置をやや越えた位置までの範囲が、外装体１０と積層されており、その積層された部分の全体が接着剤により外装体１０に接着されている。これにより、吸収性本体５の側部５１と防漏カフ形成用シート６０との間に、大容量のポケットＰが形成され易くなる。
【００２８】
そして、図１に示すように、防漏カフ形成用シート６０と外装体１０との間に脚周り部弾性部材７が固定されている。脚周り部弾性部材７は、吸収性本体５の立ち上げ用の側部弾性部材５３や防漏カフ形成用の弾性部材６１ａ〜６１ｃとは別に配されているもので、脚周りに対するフィット性を向上させるものである。おむつ１における脚周り部弾性部材７は、着用時に、着用者のそ径部にフィットする。
脚周り部弾性部材７は、防漏カフ形成用シート６０及び／又は外装体１０に塗布した接着剤８により、これら両者間に伸長状態で固定されている。
脚周り部弾性部材７が、防漏カフ形成用シート６０と外装体１０との間に固定されているという場合、両部材それぞれに直接接触している場合の他、両部材の内の一方又は両方との間に他のシート材が介在した状態で固定されている場合も含まれる。
接着剤８は、図２ないし図４に示すように、防漏カフ形成用シート６０と外装体１０との間に塗布されており、防漏カフ形成用シート６０が外装体１０から立ち上る位置を決めている。
【００２９】
おむつ１における脚周り部弾性部材７は、少なくとも股下部Ｃにおいて、固定部６７よりもおむつ幅方向の外方に固定されている。これにより、吸収性本体５の側部５１と防漏カフ形成用シート６０との間のポケットＰの形成性が一層向上する。また、ポケットＰ内への排泄物の取り込み性及びポケットＰからの漏れだし防止性の観点から、脚周り部弾性部材７は、展開且つ伸長状態のおむつ１において、立ち上げ用の側部弾性部材５３の配置位置よりおむつ幅方向外方に固定されていることが好ましい。
本おむつ１における脚周り部弾性部材７は、吸収性本体５の両側縁部５２のやや外側に、各側縁部５２に沿って配されている。また、脚周り部弾性部材７は、腹側部Ａと背側部Ｂとの間に亘るように配されている。弾性部材７は、少なくとも股下部Ｃに配されていることが好ましい。
【００３０】
本実施形態のおむつ１によれば、股下部Ｃに、前後左右に立ち上がり部を有する吸収性本体５による凹状のポケットが形成されやすく、そのポケット内からの排泄物の漏れだしが生じにくく、多量の尿が短時間にまとまって排泄されたり、吸収されにくい水状便や軟便等が排泄された場合等においても、その凹状のポケットから排泄物が漏れだし難い。
また、凹状のポケットから排泄物が漏れ出した場合であっても、吸収性本体５の両側に防漏カフ６が存在し、吸収性本体５の立ち上がった側部５１と、防漏カフ形成用シート６０との間に排泄物の保持性に優れたポケットＰが形成されるため、その排泄物が、外装体１０の側縁部を越えて漏れ出すことを防止することができる。また、防漏カフ６が（装着者のそ径部に）面接触するため、吸収性本体の側縁部が着用時に装着者の肌に直接接触しにくくなっているため、装着時の違和感を防止することもできる。
更に、着用時には、脚周り部弾性部材７が、着用者のそ径部にフィットすると共に、防漏カフ６の自由端近傍が、そ径部からやや内側に入った部分（排泄部寄りの位置）に当接する。そのため、脚周りに２重の防漏シールが存在し、漏れ防止効果が高まる。
【００３１】
吸収性本体５の立ち上がった側部５１と防漏カフ形成用シート６０との間に排泄物の保持性に優れたポケットＰを形成させる観点から、固定部６７の位置から脚周り部弾性部材７の固定位置までの距離（おむつ長手方向に直交する方向の距離、防漏カフ形成用シートの面に沿って測定）は、２０〜６０ｍｍ、特に３０〜５０ｍｍであることが好ましく、脚周り部弾性部材７の固定位置から自由端６２までの距離（同様に測定）は、２０〜７０ｍｍ、特に３０〜５０ｍｍであることが好ましく、前者と後者の比（前者／後者）は、０．３〜３．０、特に０．６〜２．０であることが好ましい。
図３に示すように、防漏カフ６は、側部コア４３の起立状態での高さより高く起立可能である。また、側部コア４３の起立性を確保するために、吸収性本体５の立ち上がった側部５１の幅が、固定部６７の位置から脚周り部弾性部材７の固定位置までの距離よりも短いことが好ましい。
【００３２】
上述したおむつ１の各部の構成材料としては、当該技術分野において通常用いられているものを特に制限なく用いることができる。
【００３３】
例えば、表面シート２としては、親水性且つ液透過性の不織布や、開孔フィルム等を用いることができる。また、排泄物の染み出し防止の観点から、天面の周縁のみ部分的、若しくは、側部又は底部の部分的あるいは全体に撥水性の不織布を用いることもできる。防漏シート３としては、液不透過性の材料や撥水性の材料を用いることができる。液不透過性の材料としては、樹脂フィルムや、樹脂フィルムと不織布等とのラミネート材等を用いることができ、撥水性の材料としては、撥水性不織布等を用いることができる。撥水性不織布としては、防漏カフ形成用シートとして後述する不織布等を用いることができる。
吸収性コア４としては、パルプ繊維等からなる繊維集合体、又は繊維集と吸水性ポリマーとからなるもの（吸水性ポリマーと繊維材料との混合積繊物等）等を用いることができる。吸水性ポリマーとしては、例えば、ポリアクリル酸ナトリウム、（アクリル酸−ビニルアルコール）共重合体、ポリアクリル酸ナトリウム架橋体、（でんぷん−アクリル酸）グラフト共重合体、（イソブチレン−無水マレイン酸）共重合体及びそのケン化物、ポリアスパラギン酸等が挙げられる。吸収性コアを構成する繊維としては、パルプ繊維、レーヨン繊維、コットン繊維、酢酸セルロース等の親水性繊維、ポリエチレン、ポリプロピレン等のポリオレフィン系繊維、ポリエステル、ポリアミド等の縮合系繊維等を用いることできる。吸水性ポリマー及び繊維は、それぞれ一種又は二種以上を組み合わせて用いることができる。
【００３４】
防漏カフ形成用のシート６０としては、スパンボンド・メルトブローン・スパンボンド等からなる多層構成の複合不織布、スパンボンド不織布、ヒートボンド不織布、エアスルー不織布等を用いることができ、柔軟性、耐水性などの点からスパンボンド、メルトブローンとからなる多層構造の不織布、坪量が１２ｇ／ｍ2程度の不織布が好ましい。
【００３５】
防漏カフ形成用シートは、ＪＩＳ  Ｌ１０９２（１９９８年度）繊維製品の防水性試験方法における、耐水度試験（低水圧法）に準じて測定した耐水圧が３ｃｍ以上であることが好ましく、より好ましくは５ｃｍ以上である。耐水圧の測定の際には、水を入れた水準装置を１０±０．５ｃｍ／ｍｉｎの速度で上昇させ、試験片の裏側に３カ所から水がでたことを目視にて観察し、その時点の水位を測定する。尚、試験片の取り付けが完了したら遅滞なく測定する。
【００３６】
防漏カフ形成用の弾性部材６１の形態としては、糸状のもの（糸ゴム等）、所定幅の帯状のもの（平ゴム等）等が好ましく、特に糸状のものが好ましい。また、吸収性本体５の立ち上げ用の側部弾性部材５３、及び脚周り部弾性部材７の形態としては、糸状のもの（糸ゴム等）、所定幅の帯状のもの（平ゴム等）、薄膜状のもの等を用いることができ、それぞれ、糸状のものが好ましい。弾性部材６１ａ〜６１ｃ，５３，７の素材としては、天然ゴム、スチレン−ブタジエン、ブタジエン、イソプレン、ネオプレン等の合成ゴム、ＥＶＡ、伸縮性ポリオレフィン、ウレタン等を挙げることができる。
【００３７】
以上、本発明の好ましい一実施形態について説明したが、本発明は、上述した実施形態に制限されず、本発明の趣旨を逸脱しない範囲で種々変更が可能である。
【００３８】
例えば、吸収性本体の両側部を起立させる構成としては、上述した第１及び第２の構成のうちの両者を具備することが好ましいが、何れか一方のみを具備していても良く、更には、第１及び第２の構成とは、別の構成を有していても良い。
また、屈曲補助部４４としては、欠落部に代えて、厚み削減部（吸収性コアの構成材料の積層される坪量の削減等により、吸収性コアの厚みが削減された部分）や、エンボス処理部（エンボス処理されることで、その部分が屈曲しやすくなるようにした部分）等を設けることもできる。
【００３９】
また、本発明の使い捨ておむつは、一方のファスニングテープに設けた止着部を介して、両ファスニングテープ同士を連結し、連結状態のファスニングテープに、おむつ長手方向の反対側に設けた第２の止着部を止着して装着するようにした使い捨ておむつであっても良い。また、ファスニングテープの止着部１１ａは、テープ基材に粘着剤を塗布して形成した粘着部であっても良い。この場合には、外装体１０外面にランディングテープに貼着してランディングゾーンとすることが好ましい。第２の止着部としては、止着部１１ａと同様のものを用いることができる。ファスニングテープは、伸縮性のパネル材に樹脂フィルム等からなるテープ基材を固定し、該テープ基材に止着部を設けたもの等であっても良い。
【００４０】
ファスニングテープ１１の固定は、外装体１０の腹側部Ａ又は背側部Ｂの両側縁部から内側の両側部であっても良い。
外装体１０は、少なくとも２枚の不織布等のシートで構成し、そのシート間に上記脚周り部弾性部材７を伸長状態で固定してもよい。例えば、最外層から、撥水性不織布／弾性部材／不織布、非撥水性不織布／弾性部材／撥水性不織布の順次配置してもよい。また、３枚の不織布等のシートで構成する場合、最外層から、不織布／弾性部材／不織布／撥水性不織布又は不透液性シート（吸収体の裏面を被うだけでもよい）としてもよい。また、これらシート等と弾性部材の配置は適宜組合せすることも可能である。
【００４１】
防漏カフ形成用シート６０は、固定部６７よりもおむつ幅方向の外方に、外装体１０と積層され接着されている領域を有しているが、展開且つ伸長状態のおむつ１において、固定部６７の位置から外方で且つ吸収性本体５の両側縁部５２と重なる位置よりも内側の範囲で、外装体１０に接着されていてもよい。股下部Ｃにおける吸収性本体５の両側縁部５２が防漏カフ形成用シート６０により起立性を阻害されない配置であればよい。この場合には、吸収性本体５の側部５１と防漏カフ形成用シート６０との間のポケットＰはやや容量が少なくはなるが、吸収性本体５の側部５１が起立することで、ポケットＰは形成される。
【００４２】
また、本発明の使い捨ておむつは、背側に配される部分と腹側に配される部分とが予め決められておらず、長手方向の両端部の内のファスニングテープを有する方を、着用者の背側及び腹側の何れに配しても装着可能なおむつであっても良い。本発明の使い捨ておむつは、幼児又は成人用の何れでも良いが、幼児用に適している。
【図面の簡単な説明】
【００４３】
【図１】図１は、本発明の一実施形態としての使い捨ておむつを示す図で、各部の弾性部材を伸張させ平面状に拡げた状態（展開且つ伸長状態）を一部破断して示す平面図である。
【図２】図２は、図１のＩ−Ｉ線断面を模式的に示す断面図である。
【図３】図３は、おむつ使用状態における図１のＩＩ−ＩＩ線断面を模式的に示す断面図である。
【図４】図４は、図１のＩＶ−ＩＶ線断面を模式的に示す断面図である。
【符号の説明】
【００４４】
１  使い捨ておむつ
２  表面シート
３  防漏シート
４  吸収性コア
５  吸収性本体
６  防漏カフ
６０  防漏カフ形成用シート
１０  外装体
Ａ  腹側部
Ｂ  背側部
Ｃ  股下部
【図１】
2006081651.tif 000003
【図２】
2006081651.tif 000004
【図３】
2006081651.tif 000005
【図４】
2006081651.tif 000006